(57)【特許請求の範囲】
【請求項１】
前後の壁からなる戸袋部と、開口部と、戸袋部にスライド移動して引き込まれる引戸からなる引込戸に用いられる上枠であって、開口部から戸袋部にかけて取り付けられる下地上枠と、開口部の領域のみにおいて開口部上面に接した状態で下地上枠に取り付けられる化粧上枠とに分割されてなり、下地上枠の下面には鴨居レールを嵌合するための鴨居レール嵌合凹部が形成されると共に該鴨居レール嵌合凹部の両側に側部が形成され、該側部の上面側には切欠が形成されており、一方、化粧上枠の内面には上下面において内方に突出する突部が形成されており、化粧上枠は、その上面側突部が下地上枠の切欠に嵌入し、上下の突部間に形成される側部嵌合凹部に下地上枠の側部を嵌合させた状態で、下地上枠の左右両側に取り付けられることを特徴とする上枠。
【請求項２】
請求項１記載の上枠を有してなる引込戸構造であって、下地上枠の下面に形成される鴨居レール嵌合凹部に嵌合される鴨居レールが、開口側鴨居レールと戸袋側鴨居レールとに分割されており、これら鴨居レールの継ぎ目が化粧上枠の戸袋側端面から戸袋下地側面の範囲に位置することを特徴とする引込戸構造。
【請求項３】
請求項１記載の上枠を有してなる引込戸構造の施工方法であって、引込戸の開口部から戸袋部にかけて下地上枠を取り付け、下地上枠に鴨居レールを取り付け、戸袋下地に壁材およびクロスを貼った後、開口部上面に化粧上枠を下地上枠の左右両側に取り付けることを特徴とする引込戸構造の施工方法。
【発明の詳細な説明】
【技術分野】
【０００１】
本発明は引込戸に設置される上枠、該上枠を用いた引込戸構造およびその施工方法に関する。
【背景技術】
【０００２】
隣接する２つの部屋ないし空間を仕切る壁に形成される開口部に引戸を設置して該開口部を開閉可能にする場合、開口部に隣接する一方の壁に、戸を開けたときに収納するための空間（戸袋）を設けた、いわゆる引込戸とすることが行われている（特許文献１）。この引戸構造によると、戸を開けたときに、隣接する２つの部屋ないし空間のいずれの側からも戸が見えないので、すっきりした印象や開放的な印象を与えることができる。
【０００３】
このような引込戸の施工は、従来、開口部の上面に上枠を取り付けると共に、開口側縦枠、戸袋側戸当たり部材（縦材）、鴨居（または鴨居レール）、敷居（または敷居レール）、戸袋下地などを固定し、戸袋下地に石膏ボードを固定し、鴨居（または鴨居レール）に引戸を吊り込み、戸袋開口端に方立を取り付けた後、最後に石膏ボードにクロスを貼って化粧を行っている。石膏ボードにクロスを貼る際には、開口部に取り付けた部材（上枠など）とクロスとの継ぎ目にコーキング剤を塗布する必要がある。クロスを貼った後に開口部に上枠などの部材を取り付け、コーキング剤を塗布することも作業的には可能であるが、コーキング剤の塗布はクロス貼り工程の一環として内装施工業者が行う作業であり、クロス貼りとコーキング剤塗布の作業を分けて行うことは非効率的である。したがって、上記したように、クロス貼りおよびコーキング剤塗布の作業は、開口部に上枠などの必要部材をすべて取り付けた後に、最後の仕上げ作業として行われる。
【先行技術文献】
【特許文献】
【０００４】
【特許文献１】特開２００７−０５６５０６号公報
【発明の概要】
【発明が解決しようとする課題】
【０００５】
しかしながら、建具部材としての上枠は一般に化粧シートなどで化粧が施されているため、これを開口部の上面に取り付けた後にクロス貼り作業を行うと、上枠の化粧が剥がれたり上枠が破損したりして補修作業や交換作業が必要になることがあった。上枠は開口部の上面にネジや接着剤などで固定されているので、その補修や交換を行うには、固定された上枠を取り外した後、補修した上枠または新たな上枠を取り付ける必要があり、多大な手間を要するものであった。また、傷付きを防止するために上枠を養生シートで覆うことも行われているが、その作業に余分な手間がかかっていた。また、引戸の補修や交換が必要になった場合も、固定されている上枠を一旦取り外した後に再度取り付けなければならず、多大な作業手間を要していた。
【０００６】
したがって、本発明が解決しようとする課題は、前記施工順で引込戸を施工する場合であっても、クロス貼りの際に上枠の化粧が損なわれず、また、上枠や引戸の補修や交換の際に上枠の取り外し・取り付けを容易に行うことができるような、新規な上枠構造を提供することである。
【課題を解決するための手段】
【０００７】
この課題を解決するため、請求項１に係る本発明は、前後の壁からなる戸袋部と、開口部と、戸袋部にスライド移動して引き込まれる引戸からなる引込戸に用いられる上枠であって、開口部から戸袋部にかけて取り付けられる下地上枠と、開口部の領域のみにおいて開口部上面に接した状態で下地上枠に取り付けられる化粧上枠とに分割されてなり、下地上枠の下面には鴨居レールを嵌合するための鴨居レール嵌合凹部が形成されると共に該鴨居レール嵌合凹部の両側に側部が形成され、該側部の上面側には切欠が形成されており、一方、化粧上枠の内面には上下面において内方に突出する突部が形成されており、化粧上枠は、その上面側突部が下地上枠の切欠に嵌入し、上下の突部間に形成される側部嵌合凹部に下地上枠の側部を嵌合させた状態で、下地上枠の左右両側に取り付けられることを特徴とする。
【０００８】
請求項２に係る本発明は、請求項１記載の上枠を有してなる引込戸構造であって、下地上枠の下面に形成される鴨居レール嵌合凹部に嵌合される鴨居レールが、開口側鴨居レールと戸袋側鴨居レールとに分割されており、これら鴨居レールの継ぎ目が化粧上枠の戸袋側端面から戸袋下地側面の範囲に位置することを特徴とする。
【０００９】
請求項３に係る本発明は、請求項１記載の上枠を有してなる引込戸構造の施工方法であって、引込戸の開口部から戸袋部にかけて下地上枠を取り付け、下地上枠に鴨居レールを取り付け、戸袋下地に壁材およびクロスを貼った後、開口部上面に化粧上枠を下地上枠の左右両側に取り付けることを特徴とする。
【発明の効果】
【００１０】
本発明によれば、引込戸構造の開口部上面に設置される上枠が下地上枠と化粧上枠とに分割され、化粧上枠は、下地上枠と鴨居レールを取り付けてクロス貼り作業を行った後に、下地上枠の左右両側に取り付けることができる。したがって、クロス貼り作業の際に上枠が傷付くことによる化粧の剥がれや破損を招くことがない。クロス貼り作業の時点で下地上枠は既に取り付けられているが、下地上枠には化粧が施されないので、養生シートで被覆して傷付きを防止する必要もない。
【００１１】
また、化粧上枠は、その上下の突部間に形成される側部嵌合凹部に下地上枠の側部を嵌合させた状態で、下地上枠の左右両側に取り付けられ、この嵌合状態においては、化粧上枠の上面側突部が下地上枠の切欠に嵌入しているので、化粧上枠が自重でずり落ちない。したがって、上面側突部を切欠に差し込んで接着剤で仮固定するだけで、化粧上枠との間に隙間を生じさせずに、タッカー打ち込みなどによる化粧上枠の固定作業をスムーズに行うことができる。
【００１２】
また、下地上枠の側部と化粧上枠の下面側突部との間で接着剤が水平方向に塗布されるので、仮にはみ出しても鴨居レール嵌合凹部に入り込み、鴨居レールで隠蔽するので、見栄えが悪くならない。
【００１３】
また、下地上枠の下面に形成される鴨居レール嵌合凹部に鴨居レールが嵌合されたときに、鴨居レールの幅方向両端の係止縁が化粧上枠の下面側突部に係止されるようにすることにより、下地上枠と化粧上枠との間の取付精度が悪く隙間が生じている場合であっても、この隙間を鴨居レールの係止縁で隠蔽することができるので、見栄えが悪くならない。
【００１４】
また、鴨居レールを開口側鴨居レールと戸袋側鴨居レールとに分割して形成し、これら鴨居レールの継ぎ目が化粧上枠の戸袋側端面から戸袋下地側面の範囲に位置するような引込戸構造とすることにより、引込戸施工後に、化粧上枠や開口側鴨居レールが破損して補修や交換が必要になった場合であっても、戸袋を壊さなくても、化粧上枠や開口側鴨居レールを取り外すだけで補修や交換の作業を行うことができ、作業手間および作業時間を軽減することができる。
【図面の簡単な説明】
【００１５】
【図１】本発明の一実施形態による上枠を用いて施工された引込戸構造を、開口部が引戸で閉じられた状態として示す正面図である。
【図２】図１中Ａ−Ａ切断部分の断面図である。
【図３】図２中Ｂ部分の拡大図である（引戸および鴨居レールは図示省略）。
【図４】図１の引込戸構造に用いられる方立を構成する一部材である下地方立の正面図（ａ）および側面図（ｂ）である。
【図５】図１の引込戸構造に用いられる方立を構成する他部材である化粧方立の正面図（ａ）および側面図（ｂ）である。
【図６】図４の下地方立と図５の化粧方立を連結する連結部材の正面図（ａ）、平面図（ｂ）および側面図（ｃ）である。
【図７】図１の引込戸構造に用いられる下地上枠の平面図（ａ）および側面図（ｂ）である。
【図８】図１の引込戸構造に用いられる一対の化粧上枠の各平面図（ａ），（ｃ）および側面図（ｂ），（ｄ）である。
【図９】図１の引込戸構造に用いられる開口側鴨居レールの平面図（ａ）および端面図（ｂ）である。
【図１０】図１の引込戸構造に用いられる戸袋側鴨居レールの平面図（ａ）および端面図（ｂ）である。
【図１１】図７の下地上枠と図８の化粧上枠とを組み合わせて上枠とし、これにさらに図９の開口側鴨居レールと図１０の戸袋側鴨居レールとを組み合わせて鴨居レールを取り付けた状態の平面図（ａ）、開口側（戸先側）の端面図（ｂ）および戸袋側の端面図（ｃ）である。
【図１２】下地上枠と化粧上枠の固定状態および配置関係を示す断面図（ａ）であり、比較のための参考断面図（ｂ）を併せて示す。
【図１３】図１の引込戸構造の施工を工程順に示す説明図である。これら図１２（ａ）〜（ｄ）はいずれも床面から開口部上面を見上げた状態で示されている。図１２（ｄ）は図２と同一である。
【図１４】本発明の他実施形態による上枠を用いて施工された引込戸構造を、開口部が引戸で閉じられた状態として示す正面図である。
【図１５】図１４の引込戸構造の施工を工程順に示す説明図である。これら図１５（ａ）〜（ｄ）はいずれも床面から開口部上面を見上げた状態で示されている。
【発明を実施するための最良の形態】
【００１６】
以下に実施例を挙げて本発明を詳細に説明する。
【実施例１】
【００１７】
図１および図２に示される引込戸構造１０は、柱１１の内面に固定される縦枠１３と、柱１２の内面に固定される戸当たり部材１４と、これら縦枠１３および戸当たり部材１４の上端同士の間に架設される上枠１５とからなる三方枠に引戸１６が横方向にスライド移動可能に設けられ、戸当たり部材１４の両側に、戸袋下地板１７および戸袋下地桟１８からなる戸袋下地材１９および方立２０を取り付け、それらの外側に各々壁材として石膏ボード２１およびクロス２２を貼って戸袋２３，２３を形成したものである。縦枠１３、戸当たり部材１４および上枠１５はいずれもＭＤＦで形成される。この実施形態において、床面３０から開口上面（開口部上面２９ａ，戸袋部上面２３ａ）までの高さは２４７０ｍｍ、縦枠１３の内側面と戸当たり部材１４の内側面との間の幅は１５８０ｍｍであり、引戸１６は高さ２４４０ｍｍ、幅７９０ｍｍであり、戸袋２３は高さ２４７０ｍｍ、幅７８５ｍｍである。なお、以下の記述において、開口部２９は引戸１６が開閉する範囲の部分（すなわち、縦枠１３（この実施形態では化粧縦枠１３２）の内側面と方立２３（この実施形態では化粧方立２６）の内側面との間の部分を意味するものとする。
【００１８】
縦枠１３は、少なくとも施工状態において露出する部分に化粧シート貼りなどによる化粧が施された単一部材からなるものであっても良い（実施例２）が、この実施形態では、開口部２９から戸袋部（戸袋２３が設けられる範囲の部分）に固定する下地縦枠１３１と、開口部２９においてこの下地縦枠１３１の表面に固定する化粧縦枠１３２とからなるものとして示されている。下地縦枠１３１は化粧縦枠１３２より幅広であり、下地縦枠１３１には化粧が施されていないが、化粧縦枠１３２の少なくとも施工状態露出面を覆うように、たとえば、表面から側面を回り込んで裏面側に至る部分にかけて化粧が施されている。下地縦枠１３１の表面には長手方向に延長する凹条１３３が形成されると共に、化粧縦枠１３２の裏面には長手方向に延長する凸条１３４が形成され、この凸条１３４を凹条１３３に嵌合して固定することにより、下地縦枠１３１と化粧縦枠１３２とを一体化して縦枠１３としている。また、化粧縦枠１３２の表面には、引戸１６を閉じたときにその閉じ側端を受ける戸じゃくり１３５が形成されている。この実施形態において、下地縦枠１３１は長さ２４６７ｍ、幅１４７ｍｍであり、化粧縦枠１３２は長さ２４６７ｍｍ、幅１１０ｍｍである。
【００１９】
上枠１５は、下地上枠３２（図７）と化粧上枠３３（図８）とからなる。下地上枠３２はＭＤＦから平面視長方形状に形成され、長さは開口部２９の左右幅（縦枠１３と戸当たり１４間の間隔）と略同一であって、この実施形態では長さ１５６４．５ｍｍ、幅４０ｍｍである。下地上枠３２の幅は、後述する化粧方立２６，２６間の間隔と略同一である。下地上枠はその全長に亘って同一の略コの字形断面形状（図７（ｂ））を有し、その施工状態において下面となる面３２３の幅方向中央には、後述する開口側鴨居レール２４１の戸車走行溝２４３を嵌合収容する溝３２４を含む鴨居レール嵌合凹部３２５が、長手方向全長に亘って延長するものとして凹設されている。溝３２４および鴨居レール嵌合凹部３２５はいずれも断面方形状である。また、上面３２７の幅方向両側には、長手方向全長に亘って延長する切欠３２８，３２８が形成され、各切欠３２８と下面３２３との間には所定幅の側部３２６が形成されている。
【００２０】
化粧上枠３３はＭＤＦから平面視略長方形状に形成され、これを一対用いて、上述のように開口部上面２９ａから戸袋部上面２３ａにかけて取り付けられた下地上枠３２の左右側面３２９，３２９に取り付けられる（図１１）。化粧上枠３３の長さは、開口部２９の左右幅と略同じであり、すなわち、方立２０（化粧方立２６）の内側面から縦枠１３（化粧縦枠１３２）の内側面までの長さと同じである（図２参照）。化粧上枠３３の厚さは、下地上枠３２の厚さと略同じである。この実施形態の化粧上枠３３は、長さ７９０ｍｍ、幅３２ｍｍである。
【００２１】
化粧上枠３３はその全長に亘って同一の断面形状を有し、下地上枠３２の一方側に取り付けられる化粧上枠３３Ａ（図８（ａ），（ｂ））と他方側に取り付けられる化粧上枠３３Ｂ（図８（ｃ），（ｄ））とでは対称的な断面形状を有している。これらの断面形状を示す図（図８（ｂ），（ｄ））から明らかなように、化粧上枠３３（化粧上枠３３Ａと化粧上枠３３Ｂを総称するものとして用いる）は略方形状の断面形状を有するが、その内側面３３１には、両端に突部３３２（３３２ａ，３３２ｂ）を残してそれら突部間に凹部が形成されている。この凹部は、下地上枠の側部３２６を嵌合する側部嵌合凹部３３３として働く。また、上面３３４と外側面３３５との角部には、長手方向に亘って延長する切欠３３６が形成され、上面３３４の途中から切欠３３６、外側面３３５および下面３３７にかけて化粧シート３３８が貼着されている。
【００２２】
下地上枠３２および化粧上枠３３は、図１２（ａ）に示すようにして固定される。すなわち、下地上枠３２は、下面３２３側の溝３２４内からネジ３４を打ち込むことにより開口部２９から戸袋部にかけてそれらの上面に固定され、化粧上枠３３は、該固定された下地上枠３２の各側面（側部３２６）および開口部上面２９ａおよび戸袋部上面２３ａに接着剤（図示せず）およびタッカー３５で固定される。下地上枠３２と化粧上枠３３の位置関係は、開口部上面２９ａと下地上枠３２の切欠３２８との間に化粧上枠３３の上面側の突部３３２ａが納められ、この突部３３２ａと他方突部３３２ｂとの間の側部嵌合凹部３３３に下地上枠３２の側部３２６が嵌合された状態であり、この状態で、下地上枠３２の上面３２７と化粧上枠３３の上面３３４は面一になって開口部上面２９ａに密接する。したがって、たとえば、化粧上枠３３の上面３３４、突部３３２ａの先端面および側部嵌合凹部３３３の底面に接着剤を塗布しておき、この化粧上枠３３の側部嵌合凹部３３３に下地上枠３２の側部３２６を嵌合させて接合すると共に、下地上枠３２の鴨居レール嵌合凹部３２５の溝角部から側部３２６および化粧上枠３３を貫通させて上面３３４で開口部上面２９ａに通入するように斜め方向にタッカー３５を打ち込むことにより、化粧上枠３３を下地上枠３２に接合しつつ開口部上面２９ａに固定することができる。
【００２３】
なお、図１２（ａ）では下地上枠３２の鴨居レール嵌合凹部３２５に鴨居レール２４（開口側鴨居レール２４１および戸袋側鴨居レール２４２）を取り付ける前に下地上枠３２を開口部上面２９ａおよび戸袋部上面２３ａに固定するものとして示されているが、下地上枠３２の鴨居レール嵌合凹部３２５に鴨居レール２４を取り付けた後にこの下地上枠３２を開口部上面２９ａおよび戸袋部上面２３ａに固定しても良い。この場合も同様の固定方法を採用することができるが、鴨居レール２４越しにネジ３４やタッカー３５を打ち込むと鴨居レール３５が破損する恐れがある場合は、これらの打ち込み位置に鴨居レール２４にあらかじめ下穴を開けておくと良い。
【００２４】
図１２（ａ）に示す固定状態によると、化粧上枠３３を下地上枠３２に接着剤で固定するときに、下地上枠３２の側部が化粧上枠３３の側部嵌合凹部３３３に嵌合されており、突部３３２ａが切欠３２８に嵌入しているので、化粧上枠３３が自重でずれ落ちない。したがって、突部３３２ａを切欠３２８に差し込んだ状態にして接着剤で仮固定しておくだけで、化粧上枠３３と開口部上面２９ａとの間に隙間を生じさせずに、スムーズにタッカー３５の打ち込み作業を行うことができる。また、下地上枠３２の側部３２６と化粧上枠３３の突部３３２ｂとの間で接着剤が水平方向に塗布されるので、仮にはみ出しても鴨居レール嵌合凹部３２５に入り込み、鴨居レール２４で隠蔽することができるので、見栄えが悪くならない。
【００２５】
図１２（ｂ）は、切欠３２８や側部３２６を有しない下地上枠３２と切欠３３２や側部嵌合凹部３３３を有しない化粧上枠３３とを、これらの側面同士を平面的に接合させた場合の固定状態を仮定して示している。この場合は、化粧上枠３３が垂直平滑面Ｖで下地上枠３２と接合されることになるので、化粧上枠３３が自重でずれ落ちてしまい、化粧上枠３３を開口部上面２９ａに強く押し付けながらタッカー３５の打ち込み作業を行わなければならず、作業効率が低下する。また、塗布した接着剤がはみ出して化粧上枠３３の下面３３７で硬化したり、固定後に化粧上枠３３が自重でずり落ちて開口部上面２９ａとの間に隙間が生じるなどによって見栄えが悪くなる恐れがある。
【００２６】
下地上枠３２の下面３２３の鴨居レール嵌合凹部３２５に取り付けられる鴨居レール２４は単一部材からなるものであっても良い（実施例２）が、この実施形態では、開口部２９において取り付けられる開口側鴨居レール２４１（図９）と、戸袋部において取り付けられる戸袋側鴨居レール２４２（図１０）の２部材に分割されており、これらを長さ方向に連結することにより直線状に連続する鴨居レール２４を形成する。開口側鴨居レール２４１と戸袋側鴨居レール２４２はいずれも合成樹脂や金属などの任意材料で形成され、同一の断面形状を有するものであって、その底面の幅方向中央に戸車走行溝２４３，２４４が形成され、両側面の先端には外方に向けて突出する係止縁２４５，２４６が形成された略コの字状の断面形状を有する。開口側鴨居レール２４１と戸袋側鴨居レール２４２は、その長さ合計が下地上枠３２の長さと略同一になるように適宜長さに分割することができるが、これらの継ぎ目３６は、化粧上枠３３の戸袋側端面３３９から戸袋下地側面１９１との間に位置することが好ましい。このようにすることにより、鴨居レール２４１，２４２同士の継ぎ目３６が開口部２９に露出して見栄えを悪くすることを防止しながら、このレール継ぎ目３６に開口部２９から手指が届きやすくすることにより、破損した際のレール交換作業を容易に行うことができる。図示実施形態では、レール継ぎ目３６が、化粧方立２６の前面および化粧上枠３３の戸袋側端面３３９（図８（ａ），（ｃ））の位置に略一致するような長さを有するものとして分割されている（図２参照）。
【００２７】
また、開口側鴨居レール２４１および戸袋側鴨居レール２４２の幅および高さは、それぞれ下地上枠３２の鴨居レール嵌合凹部３２５の幅および深さと略同一であって、これら鴨居レール２４１，２４２を、戸車走行溝２４３，２４４による底面突条部下地上枠３２の鴨居レール嵌合凹部３２５に嵌合させたときに、これらの係止縁２４５，２４６が鴨居レール嵌合凹部３２５の開口縁に係止された状態となる。係止縁２４５，２４６は、開口側鴨居レール２４１および／または戸袋側鴨居レール２４２が下地上枠３２の鴨居レール嵌合凹部３２５に嵌合されたときにそれらの間に隙間が生じていても、この隙間を隠蔽する役割を果たす。
【００２８】
既述したように、開口側鴨居レール２４１と戸袋側鴨居レール２４２の断面形状は略同一であり、開口側鴨居レール２４１と戸袋側鴨居レール２４２が上述したように下地上枠３２および化粧上枠３３にそれぞれ固定されたときに、開口側鴨居レール２４１と戸袋側鴨居レール２４２とが一直線に延長する鴨居レール２４を形成して（図１２）、引戸１６の上端に取り付けられる戸車（図示せず）が鴨居レール２４の戸車走行溝２４３，２４４内で走行することにより引戸１６の開閉方向移動を円滑に案内する。なお、図示しないが、下地上枠３２の鴨居レール嵌合凹部３２５の側面に接する開口側鴨居レール２４１の側面および／または化粧上枠３３の鴨居レール嵌合凹部３３８の側面に接する戸袋側鴨居レール２４２の側面には、長手方向に延長する一または複数の突条や長手方向に点在する一または複数の突起を形成して、これら突条や突起が凹部側面に喰い込んで外れにくくすることができる。
【００２９】
方立２０は、単一部材からなるものであっても良い（実施例２）が、この実施形態では、下地方立２５（図４）と、化粧方立２６（図５）と、これらを連結する連結部材２７（図６）とからなるものとして示されている。下地方立２５と化粧方立２６は、連結部材２７により、図２およびそのＢ部分拡大図である（引戸１６および鴨居レール２４は図示省略）図３に示されるように連結された状態で、引込戸構造１０の戸袋２３開口端の表裏にそれぞれ設けられる。
【００３０】
図４を参照して、下地方立２５はＭＤＦで形成され、施工状態においては石膏ボード２１の外面から連続して突出部外面２５３ｄおよび突出部前面２５３ｃにかけてクロス２２が貼着される（図３）が、下地方立２５自体に化粧シートは貼着されない。下地方立２５は、一定の断面形状が長手方向（施工状態において壁高さ方向）に連続する長尺部材であり、略方形の断面形状を有する下地本体部２５１と、この下地本体部２５１の外方および前方に突出する突出部２５２とからなる。より詳しくは、下地方立２５は、下地本体部２５１の前面２５３ａと、突出部２５２の側面２５３ｂと、突出部２５２の前面２５３ｃと、突出部２５２の外面２５３ｄと、突出部２５２の後面２５３ｆと、突出部２５２の外面２５３ｄと後面２５３ｆとの間の傾斜面２５３ｅと、下地本体部２５１の外面２５３ｇと、下地本体部２５１の背面２５３ｈと、下地本体部２５１の内面２５３ｉの各面を有するものとして形成されている。
【００３１】
下地本体部２５１の前面２５３ａと突出部２５２の下面２５３ｂとの間には化粧方立２６を嵌合するための切欠２５４が形成され、突出部２５２の後面２５３ｆと下地本体部２５１の外面２５３ｇとの間には石膏ボード２１を納めるための（したがって石膏ボード２１の厚さと略同一幅を有する）切欠２５５が形成される。この実施形態における下地方立２５の寸法は、長さ２４６９ｍｍ、幅（突出部２５２の外面２５３ｄと下地本体部２６１の内面２５３ｉの間隔）５１．５ｍｍ、厚さ（突出部２５２の前面２５３ｃと下地本体部２６１の背面２５３ｈの間隔）３０ｍｍであり、切欠２５４を形成する下地本体部前面２５３ａおよび突出部側面２５３ｂはそれぞれ幅２９ｍｍ、幅５ｍｍであり、切欠２５５を形成する突出部後面２５３ｆと下地本体部外面２５３ｇはいずれも幅１３．５ｍｍ（石膏ボード２１の厚さと略同一）である。また、突出部２５２の前面２５３ｃは幅２２．５ｍｍ、外面２５３ｄは幅１６．５ｍｍである。突出部２５２の外面２５３ｄと後面２５３ｆとの間の傾斜面（面取り）２５３ｅは、施工時に、石膏ボード２１の端面との間の隙間２８（図３）にパテ（図示せず）を埋め込んで下地方立２５と石膏ボード２１との継ぎ目を略平坦にするための隙間２８（図３）を与える。
【００３２】
下地本体部２５１の前面２５３ａには長手方向に延長する連結溝２５６が形成されると共に、この連結溝２５６の中心線上に中心を持つ円形断面を有するネジ頭収容凹部２５７が長手方向に任意間隔をおいて複数個設けられ、さらに各ネジ頭収容凹部２５７の底面の中心から背面２５３ｈ近くまでの深さにネジ穴２５８が形成される。連結溝２５６は、下地方立２５が化粧方立２６と組み合わされたときに、化粧方立２６の連結溝２６２（後述）と一致する位置に形成される。この実施形態では、連結溝２５６は深さ７ｍｍ、幅３ｍｍであり、１３ｍｍ径、深さ１０ｍｍのネジ頭収容凹部２５７と、２．５ｍｍ径、深さ１３ｍｍのネジ穴２５８が、長手方向に５５０ｍｍの等間隔で各々５箇所（図４では２箇所を図示省略）に設けられている。
【００３３】
図５を参照して、化粧方立２６はＭＤＦで形成され、一定の断面形状が長手方向（施工状態において壁厚方向）に連続する長尺部材である。化粧方立２６は略方形の断面形状を有するが、下地方立２５と組み合わされるときに向かい合う側の面（後面）に切欠２６１および連結溝２６２が形成されている。化粧方立２６は、前面２６３ａと、外面２６３ｃと、これらの間の傾斜面２６３ｂと、切欠２６１を形成する面２６３ｄ，２６３ｅと、後面２６３ｆと、内面２６３ｇの各面を有するものとして形成されており、面２６３ｇ，２６３ａ〜２６３ｅを完全に被覆してその両端が後面２６３ｆに回り込むように、化粧シート２６４が貼着されている。既述したように、連結溝２６２は、化粧方立２６が下地方立２５と組み合わされたときに、下地方立２５の連結溝２５６と一致する位置に形成される。
【００３４】
この実施形態における化粧方立２６の寸法は、長さ２４６９ｍｍ、幅（外面２６３ｃと内面２６３ｇの間隔）３３ｍｍ、厚さ（前面２６３ａと後面２６３ｆの間隔）３０ｍｍであり、連結溝２６２は深さ７ｍｍ、幅３ｍｍであり、切欠２６１を形成する面２６３ｄおよび２６３ｅはそれぞれ幅５ｍｍおよび幅９ｍｍであり、後面２６３ｆは幅１８ｍｍである。化粧方立２６は、対向する化粧縦枠１３２の幅に合わせて統一感を出すため、また、目立たないようにしてすっきりした外観に仕上げるために、下地方立２５より幅を小さく形成している。
【００３５】
図６を参照して、連結部材２７は合成樹脂で形成された細板状の長尺部材であり、その表裏には凹凸２７１が形成され、幅方向の一方が下地方立２５の連結溝２５６に嵌合する嵌合部２７２となり、他方が化粧方立２６の連結溝２６２に嵌合する嵌合部２７３となる。表裏の凹凸２７１は、嵌合部２７２，２７３では各々挿入方向に傾斜して先端鋭角状に突出する形状とされ、且つ、嵌合部２７２，２７３の先端も鋭角状に形成されている。これにより、嵌合部２７２，２７３を連結溝２５６，２６２に嵌合しやすく、且つ、一旦嵌合すれば凹凸２７１が連結溝２５６，２６２の溝内面に喰い込んで容易には離脱しない嵌合状態が得られる。
【００３６】
連結部材２７の厚さは連結溝２５６，２６２の幅（この実施形態では３ｍｍ）と略同一またはそれよりわずかに大きい寸法であり、その幅（嵌合部２７２，２７３の長さ合計）は連結溝２５６，２６２の深さ合計（１４ｍｍ）と略同一またはそれよりわずかに小さい寸法である。この実施形態では、連結部材２７は、長さ２４６９ｍｍ、幅１４ｍｍ、厚さ（凹凸２７１を含む）４ｍｍである。なお、連結部材２７は全体を単一の合成樹脂で一体に形成しても良いが、硬質樹脂を主体としながら、嵌合部２７２，２７３の先端から表裏面の一部にかけて軟質樹脂を設けて形成しても良い。
【００３７】
図１および図２記載の引込戸構造１０の施工について、図１３を参照して説明する。図１３（ａ）および（ｂ）は下地工程を示すものであり、柱１１に下地縦枠１３１、柱１２に戸当たり部材１４、開口部上面２９ａから戸袋部上面２３ａにかけて下地上枠３２をそれぞれ取り付けた後に、下地上枠３２に戸袋側鴨居レール２４２を取り付ける。下地上枠３２の下面にあらかじめ開口側鴨居レール２４１を嵌合固定しておいたものを、開口部上面２９ａから戸袋部上面２３ａにかけて取り付けても良い。また、柱１２に戸袋下地板１７および戸袋下地桟１８からなる戸袋下地材１９を取り付け、戸袋下地材１９の側面１９１に下地方立２５を取り付け、戸袋下地材１９の外面に石膏ボード２１を取り付けて表裏に戸袋２３，２３を形成する。下地方立２５は戸袋下地材１９の側面にネジ（図示せず）で固定されるが、下地方立２５の内面２５３ｉと下地上枠３２の側面３２９には接触せず、これらの間に１〜３ｍｍ程度の隙間を設けておく（図１３（ｂ））。このようにすることで、下地方立２５や下地上枠３２などの加工精度が悪くても、下地方立２５を所定の位置に施工することを妨げない。各戸袋下地材１９の外面に石膏ボード２１を取り付け、その端部を下地方立２５の切欠２５５に納めて隙間２８にパテ（図示せず）を埋め、下地方立２５の外面２５３ｄとの継ぎ目を略平坦にする。
【００３８】
次いで、図１３（ｃ）に示すように、クロス貼りを行う。すなわち、戸袋２３，２３側においては、石膏ボード２１の表面から下地方立２５の突出部外面２５３ｄおよび前面２５３ｃを完全に被覆するようにクロス２２を貼る。下地方立２５の切欠２５５の深さ（突出部外面２５３ｄと下地本体部外面２５３ｇの間隔）は石膏ボード２１の厚さに略等しいので、石膏ボード２１の表面から下地方立２５の外面２５３にかけて連続的にクロス２２を貼ると、石膏ボード２１と下地方立２５との間の継ぎ目においても段差のない平滑な化粧面が得られる。同様に、柱１１の側においても、石膏ボード２１の表面から下地縦枠１３１の外面および前面を覆うようにクロス２２を貼る。
【００３９】
次いで、図１３（ｄ）に示すように、柱１２側において下地縦枠１３１に化粧縦枠１３２を取り付けて縦枠１３を形成すると共に、図１２（ａ）を参照して既述したようにして化粧上枠３３を下地上枠３２の左右側面に取り付けて上枠１５を形成し、さらに、化粧方立２６を化粧上枠３３と下地方立２５との間の隙間に差し込みながら下地方立２５に取り付ける。化粧方立２６の取り付けに際しては、図３を参照して既述したように、下地方立２５の連結溝２５６に連結部材２７の一端の嵌合部２７２を挿入し、突出状態にある他端の嵌合部２７３を化粧方立２６の連結溝２６２に挿入して、化粧方立２６を下地方立２５に一体に組み付けることにより、方立２０を形成する。あるいは、連結部材２７の嵌合部２７２にあらかじめ下地方立２５の連結溝２５６に嵌合させておくことに代えて、連結部材２７の嵌合部２７３を連結溝２６２に嵌合させた状態の化粧方立２６を下地方立２５に近付けていって、突出する嵌合部２７２を下地方立２５の連結溝２５６に差し込んで嵌合することによって、これらを一体化するようにしても良い。
【００４０】
このとき、下地方立２５の前面２５３ａと化粧方立２６の後面２６３ｆとが接した状態となり、下地方立２５の内面２５３ｉと化粧方立２６の内面２６３ｇは略面一となって連続した面を形成する。また、下地方立２５の突出部２５２は化粧方立２６の切欠２６１に納められるが、既述した寸法関係から、下地方立２５の突出部側面２５３ｂおよび前面２５３ｃは化粧方立２６の切欠面２６３ｄ，２６３ｅとは非接触状態に維持され、これらの面の間には隙間が確保される。つまり、下地方立２５において、連結溝２５６の上面から突出部側面２５３ｂまでの距離をａ１、突出部側面２５３ｂの幅をａ２とし、化粧方立２６において、連結溝２６２の上面から切欠面２６３ｅまでの距離をｂ１、切欠面２６３の幅をｂ２とすれば、ａ１＞ｂ１であり且つｂ２＞ａ２である（図３）。したがって、上記のように化粧方立２６を下地方立２５に組み付けて一体化したときに、下地方立２５および／化粧方立２６の加工精度が悪い場合であっても、それらの連結溝２５６，２６２同士を一致させて、連結部材１７で連結することができる。また、下地方立２５の外面２５３ｄ、傾斜面２５３ｅおよび前面２５３ｃまでを完全に被覆するように貼着されたクロス２２や、化粧方立２６の面２６３ｇ，２６３ａ〜２６３ｅを完全に被覆してその両端が後面２６３ｆに回り込むように貼着された化粧シート２６４を傷付けることがない。
【００４１】
また、戸袋側鴨居レール２４２と連続するように開口側鴨居レール２４１を取り付けて鴨居レール２４を形成する。図示されないが、鴨居レール２４の直下において、床面３０に敷居レール３１を取り付ける。以上の作業工程を経て、図１および図２記載の引込戸構造１０を施工することができる。
【００４２】
この施工方法によれば、化粧が施されていない下地上枠３２を取り付けた（図１３（ａ））後にクロス２２を貼り（図１３（ｃ））、その後に、下地上枠３２の左右両側に化粧上枠３３を取り付ける（図１３（ｄ））ことにより上枠１５を完成させるので、クロス貼り作業の際に上枠１５が傷付くことによる化粧の剥がれや破損を招くことがない。クロス貼り作業の時点で下地上枠３２は既に取り付けられているが、下地上枠３２は化粧が施されないので、養生シートで被覆して傷付きを防止する必要もない。
【００４３】
また、上記のようにして施工された引込戸構造１０において、施工後に、化粧上枠３３や開口側鴨居レール２４１が破損して補修や交換が必要になった場合、戸袋２３を壊さなくても、化粧上枠３３や開口側鴨居レール２４１を取り外すだけで補修や交換の作業を行うことができ、作業手間および作業時間が軽減される。
【００４４】
また、開口側鴨居レール２４１と戸袋側鴨居レール２４２の継ぎ目３６が、化粧上枠３３の戸袋側端面３３９から戸袋下地側面１９１の範囲に位置するので、既述したように、この継ぎ目３６が開口部２９に露出して見栄えを悪くすることを防止すると共に、この継ぎ目３６に開口部２９から手指が届きやすくなるので、破損した際のレール交換作業を容易に行うことができる。
【実施例２】
【００４５】
図１４に示される引込戸構造１０は、実施例１の引込戸構造１０に近似しているが、その構成部材である縦枠１３、方立２０および鴨居レール２４に相違が見られる。以下、主にこれらについて説明し、実施例１と同様の構成部材や作用については、説明を省略する。また、実施例１と同様または対応する部材や要素には同一の符号が付されている。
【００４６】
縦枠１３については、実施例１では下地縦枠１３１と化粧縦枠１３２の２部材からなるものとして示されているが、この実施例では、これらを組み合わせて一体化させたような形状および構成を有し、その少なくとも施工時露出面に化粧シート１３６が貼られた単一部材である。方立２０についても、実施例１ではこれを下地方立２５と化粧方立２６の２部材からなるものとして示されているが、この実施例では、これらを組み合わせて一体化させたような形状および構成を有し、その少なくとも施工時露出面に化粧シート２０１が貼られた単一部材である。さらに、鴨居レール２４についても、実施例１では開口側鴨居レール２４１と戸袋側鴨居レール２４２の２部材からなるものとして示されているが、この実施例では、これらを連続させた単一部材としての鴨居レール２４が用いられている。
【００４７】
この実施例による引込戸構造１０の施工は、図１３を参照して説明した実施例１の引込戸構造１０の施工と同様にして行うことができるが、縦枠１３、方立２０および鴨居レール２４が単一部材として形成されていることに伴い、若干の相違がある。すなわち、この場合の施工は、図１５（ａ）に示すように、縦枠１３、戸当たり部材１４および下地上枠３２を取り付けた後、下地上枠３２に鴨居レール２４を取り付ける。あらかじめ鴨居レール２４を取り付けておいた下地上枠３２を取り付けても良い。鴨居レール２４に対向する床面に敷居レール３０を取り付ける。また、実施例１の場合と同様にして、戸袋２３，２３を形成する。
【００４８】
図１５（ｂ）に示すように、鴨居レール２４に引戸１６を吊り込み、後の作業を容易にするために引戸１６を矢印方向に移動させて戸袋２３に収納させた後、図１５（ｃ）に示すように、各戸袋２３の開口端部に方立２０を取り付け、各戸袋下地材１９の外面に石膏ボード２１を取り付け、その端部の隙間２８（図３）にパテ（図示せず）を埋めて平滑にする。その後、クロス２２を貼る。
【００４９】
そして、図１５（ｄ）に示すように、下地上枠３２の左右両側に化粧上枠３３を取り付けて、施工が完了する。
【００５０】
この実施例による場合も、化粧が施されていない下地上枠３２を取り付けた（図１５（ａ））後にクロス貼り作業を行い（図１５（ｃ））、その後に、下地上枠３２の左右両側に化粧上枠３３を取り付ける（図１５（ｄ））ことにより上枠１５を完成させるので、クロス貼り作業の際に上枠１５が傷付くことによる化粧の剥がれや破損を招くことがない。クロス貼り作業の時点で下地上枠３２は既に取り付けられているが、下地上枠３２は化粧が施されないので、養生シートで被覆して傷付きを防止する必要もない。
【００５１】
本発明について実施例を挙げて詳述したが、本発明はこれら実施例に限定されるものではなく、特許請求の範囲に規定される発明の範囲内において広く変形ないし変更して実施可能である。
【符号の説明】
【００５２】
１０  引込戸構造
１１  柱（開口側）
１２  柱（戸袋側）
１３  縦枠
１３１  下地縦枠
１３２  化粧縦枠
１３３  凹条
１３４  凸条
１３５  戸じゃくり
１３６  化粧シート
１４  戸当たり部材
１５  上枠
１６  引戸
１７  戸袋下地板
１８  戸袋下地桟
１９  戸袋下地材
１９１  戸袋下地側面
２０  方立
２０１  化粧シート
２１  石膏ボード（壁材）
２２  クロス
２３  戸袋
２３ａ  戸袋部上面
２４  鴨居レール
２４１  開口側鴨居レール
２４２  戸袋側鴨居レール
２４３，２４４  戸車走行溝
２４５，２４６  係止縁
２５  下地方立
２５１  下地本体部
２５２  突出部
２５３ａ〜２５３ｉ  面
２５４，２５５  切欠
２５６  連結溝
２６  化粧方立
２６１  切欠
２６２  連結溝
２６３ａ〜２６３ｇ  面
２６４  化粧シート
２７  連結部材
２７１  凹凸
２７２，２７３  嵌合部
２８  隙間
２９  開口部
２９ａ  開口部上面
３０  床面
３１  敷居レール
３２  下地上枠
３２１  長手方向一端面
３２２  長手方向他端面
３２３  下面
３２４  溝
３２５  鴨居レール嵌合凹部
３２６  側部
３２７  上面
３２８  切欠
３２９  側面
３３  化粧上枠
３３１  内側面
３３２  突部（上面側突部３３２ａ，下面側突部３３２ｂ）
３３３  側部嵌合凹部
３３４  上面
３３５  外側面
３３６  切欠
３３７  下面
３３８  化粧シート
３３９  戸袋側端面
３４  ネジ
３５  タッカー
３６  開口側鴨居レールと戸袋側鴨居レールとの間の継ぎ目
【図１】
0006448965.tif 000002
【図２】
0006448965.tif 000003
【図３】
0006448965.tif 000004
【図４】
0006448965.tif 000005
【図５】
0006448965.tif 000006
【図６】
0006448965.tif 000007
【図７】
0006448965.tif 000008
【図８】
0006448965.tif 000009
【図９】
0006448965.tif 000010
【図１０】
0006448965.tif 000011
【図１１】
0006448965.tif 000012
【図１２】
0006448965.tif 000013
【図１３】
0006448965.tif 000014
【図１４】
0006448965.tif 000015
【図１５】
0006448965.tif 000016